(57)【要約】【課題】  コンテンツデータを順次再生する場合に、ユーザによる再生画面のオン操作を行わせる回数を削減し、且つディスプレイによる消費電力を低減することが可能な表示制御方法、電子機器およびプログラムを提供する。【解決手段】  携帯型オーディオプレーヤは所定の順で複数の楽曲データを順に再生する。そして、再生曲の切り換わりタイミングで、ＬＣＤパネルのバックライトを一定時間オンにし（ＳＴ１）、その後、オフにする（ＳＴ３）。【選択図】  図１１
2006351133.tif 000002
【特許請求の範囲】
【請求項１】
第１の表示モードと、前記第１の表示モードに比べて高輝度または高消費電力の第２の表示モードとを有するディスプレイに再生画面を表示する表示制御方法であって、
複数のコンテンツデータを順に再生する第１の工程と、
前記第１の工程で再生中の前記コンテンツデータの属性データを前記ディスプレイに表示する第２の工程と、
前記第１の工程における前記再生するコンテンツデータを切り換えるタイミングに連動させて、前記ディスプレイを前記第１の表示モードと前記第２の表示モードとの間で切り換える第３の工程と
を有する表示制御方法。
【請求項２】
前記第１の工程で再生する前記コンテンツデータが切り換わるタイミングを特定する第４の工程
をさらに有し、
前記第３の工程は、前記第４の工程で特定した前記タイミングで前記ディスプレイを前記第１の表示モードから前記第２の表示モードに切り換え、前記第２の表示モードに切り換えた後に所定時間が経過すると前記第１の表示モードに切り換える
請求項１に記載の表示制御方法。
【請求項３】
前記第１の工程で再生する前記コンテンツデータが切り換わるタイミングを特定する第４の工程
をさらに有し、
前記第３の工程は、前記第４の工程で特定した前記タイミングに対して所定時間前に前記ディスプレイを前記第１の表示モードから前記第２の表示モードに切り換え、前記第２の表示モードに切り換えた後に所定時間が経過すると前記第１の表示モードに切り換える
請求項１に記載の表示制御方法。
【請求項４】
前記第１の工程で前記コンテンツデータを最初に再生するか否かを判断する第５の工程
をさらに有し、
前記第３の工程は、前記第５の工程において前記コンテンツデータを最初に再生すると判断したことを条件に前記第１の表示モードから前記第２の表示モードへの切り換えを行う
請求項２または請求項３に記載の表示制御方法。
【請求項５】
前記ディスプレイが透過型液晶ディスプレイである場合に、
前記第３の工程は、前記第１の表示モードは、前記透過型液晶ディスプレイのバックライトをオフにする前記第１の表示モードと、前記バックライトをオンにする前記第２の表示モードとを切り換える
請求項１に記載の表示制御方法。
【請求項６】
第１の表示モードと、前記第１の表示モードに比べて高輝度または高消費電力の第２の表示モードとを有するディスプレイと、
コンテンツデータを順に再生し、再生中の前記コンテンツデータの属性を示す再生画面を前記ディスプレイに表示し、前記再生するコンテンツデータを切り換えるタイミングに連動させて、前記ディスプレイを前記第１の表示モードと前記第２の表示モードとの間で切り換える制御回路と
を有する電子機器。
【請求項７】
第１の表示モードと、前記第１の表示モードに比べて高輝度または高消費電力の第２の表示モードとを有するディスプレイと、
コンテンツデータを記録する記録媒体と、
前記記録媒体から読み出した前記コンテンツデータを順に再生し、再生中の前記コンテンツデータの属性を示す再生画面を前記ディスプレイに表示し、前記再生するコンテンツデータを切り換えるタイミングに連動させて、前記ディスプレイを前記第１の表示モードと前記第２の表示モードとの間で切り換える制御回路と
を有する電子機器。
【請求項８】
第１の表示モードと、前記第１の表示モードに比べて高輝度または高消費電力の第２の表示モードとを有するディスプレイに再生画面を表示する電子機器が実行するプログラムであって、
複数のコンテンツデータを順に再生する第１の手順と、
前記第１の手順で再生中の前記コンテンツデータの属性データを前記ディスプレイに表示する第２の手順と、
前記第１の手順における前記再生するコンテンツデータを切り換えるタイミングに連動させて、前記ディスプレイを前記第１の表示モードと前記第２の表示モードとの間で切り換える第３の手順と
を有する前記電子機器に実行させるプログラム。
【請求項９】
第１の表示モードと、前記第１の表示モードに比べて高輝度または高消費電力の第２の表示モードとを有するディスプレイに再生画面を表示する表示制御方法であって、
複数のコンテンツデータを順に再生する第１の工程と、
前記第１の工程で再生中の前記コンテンツデータの属性データを前記ディスプレイに表示する第２の工程と、
前記再生中のコンテンツデータが予め決めた所定の条件を満たすコンテンツデータである場合に、前記ディスプレイを前記第２の表示モードにする第３の工程と
を有する表示制御方法。
【請求項１０】
前記所定の条件は、未購入あるいは未再生である
請求項９に記載の表示制御方法。
【発明の詳細な説明】
【技術分野】
【０００１】
本発明は、コンテンツの再生画面を制御する表示制御方法、電子機器およびプログラムに関する。
【背景技術】
【０００２】
近年、記録メディアの大容量化、並びに音楽、動画、静止画などの圧縮技術の発達により、携帯型オーディオプレーヤの記録メディアに膨大な数の楽曲データを記憶できる。
このような携帯型オーディオプレーヤは、液晶ディスプレイなどを備えており、再生中の楽曲データのタイトル名、アーティスト名およびアルバム名などの属性名を示す再生画面を上記液晶ディスプレイに表示する。
ところで、液晶ディスプレイのバックライトをオンにした状態での消費電力は高いため、上記携帯型オーディオプレーヤでは、ユーザがボタンなどの操作手段を操作したことをトリガーとして液晶ディスプレイのバックライトをオンにし、その後、一定時間経過するとバックライトを自動的にオフにしている。
【０００３】
【特許文献１】特開２００１−７６４１５号公報
【発明の開示】
【発明が解決しようとする課題】
【０００４】
しかしながら、上述した携帯型オーディオプレーヤでは、複数の楽曲データを所定の順序で再生する再生動作において、例えば、再生開始された楽曲データのタイトル名をユーザが知りたい場合に、液晶ディスプレイのバックライトをオンにするために、操作手段を操作する必要があり、手間がかかる。
同様な要請は、楽曲データ以外の映像データなどのコンテンツデータを再生するプレーヤにもある。
【０００５】
本発明は上述した従来技術の問題点を解決するために、コンテンツデータを順次再生する場合に、ユーザによる再生画面のオン操作を行わせる回数を削減し、且つディスプレイによる消費電力を低減することが可能な表示制御方法、電子機器およびプログラムを提供することを目的とする。
【課題を解決するための手段】
【０００６】
上述した従来技術の問題点を解決し、上述した目的を達成するために、第１の観点の発明の表示制御方法は、第１の表示モードと、前記第１の表示モードに比べて高輝度または高消費電力の第２の表示モードとを有するディスプレイに再生画面を表示する表示制御方法であって、複数のコンテンツデータを順に再生する第１の工程と、前記第１の工程で再生中の前記コンテンツデータの属性データを前記ディスプレイに表示する第２の工程と、前記第１の工程における前記再生するコンテンツデータを切り換えるタイミングに連動させて、前記ディスプレイを前記第１の表示モードと前記第２の表示モードとの間で切り換える第３の工程とを有する。
【０００７】
第２の観点の発明の電子機器は、第１の表示モードと、前記第１の表示モードに比べて高輝度または高消費電力の第２の表示モードとを有するディスプレイと、コンテンツデータを順に再生し、再生中の前記コンテンツデータの属性を示す再生画面を前記ディスプレイに表示し、前記再生するコンテンツデータを切り換えるタイミングに連動させて、前記ディスプレイを前記第１の表示モードと前記第２の表示モードとの間で切り換える制御回路とを有する。
【０００８】
第３の観点の発明の電子機器は、第１の表示モードと、前記第１の表示モードに比べて高輝度または高消費電力の第２の表示モードとを有するディスプレイと、コンテンツデータを記録する記録媒体と、前記記録媒体から読み出した前記コンテンツデータを順に再生し、再生中の前記コンテンツデータの属性を示す再生画面を前記ディスプレイに表示し、前記再生するコンテンツデータを切り換えるタイミングに連動させて、前記ディスプレイを前記第１の表示モードと前記第２の表示モードとの間で切り換える制御回路とを有する。
【０００９】
第４の観点の発明のプログラムは、第１の表示モードと、前記第１の表示モードに比べて高輝度または高消費電力の第２の表示モードとを有するディスプレイに再生画面を表示する電子機器が実行するプログラムであって、複数のコンテンツデータを順に再生する第１の手順と、前記第１の手順で再生中の前記コンテンツデータの属性データを前記ディスプレイに表示する第２の手順と、前記第１の手順における前記再生するコンテンツデータを切り換えるタイミングに連動させて、前記ディスプレイを前記第１の表示モードと前記第２の表示モードとの間で切り換える第３の手順とを有する。
【００１０】
第５の観点の発明の表示制御方法は、第１の表示モードと、前記第１の表示モードに比べて高輝度または高消費電力の第２の表示モードとを有するディスプレイに再生画面を表示する表示制御方法であって、複数のコンテンツデータを順に再生する第１の工程と、前記第１の工程で再生中の前記コンテンツデータの属性データを前記ディスプレイに表示する第２の工程と、前記再生中のコンテンツデータが予め決めた所定の条件を満たすコンテンツデータである場合に、前記ディスプレイを前記第２の表示モードにする第３の工程とを有する。
【発明の効果】
【００１１】
本発明によれば、コンテンツデータを順次再生する場合に、ユーザによる再生画面のオン操作を行わせる回数を削減し、且つディスプレイによる消費電力を低減することが可能な表示制御方法、電子機器およびプログラムを提供することができる。
【発明を実施するための最良の形態】
【００１２】
以下、本発明の実施形態の携帯型オーディオプレーヤを説明する。
＜第１実施形態＞
先ず、本実施形態の構成要素と、本発明の構成要素との対応関係を説明する。
本実施形態の楽曲データが、本発明のコンテンツデータの一例である。
また、本実施形態のアーティスト名データおよびアルバム名データが本発明の属性データの一例である。
図５あるいは図１５に示す再生画面ＤＩＳＰ１，ＤＩＳＰ１１が、本発明の再生画面の一例である。
また、ＬＣＤパネル１４がオフの状態が本発明の第１の表示モードの一例であり、ＬＣＤパネル１４がオンの状態が本発明の第２の表示モードの一例である。
【００１３】
図１０に示すステップＳＴ５，ＳＴ６、ＳＴ１が本発明の第３の工程、並びに第３の手順の一例である。
また、図１０に示す処理と並行してＣＰＵ１７が行う再生処理および再生画面表示処理が、本発明の第１の工程、第２の工程、第１の手順、第２の手順の一例である。
また、図１に示すプログラムＰＲＧが第３の発明のプログラムの一例である。
また、図１に示すＨＤＤ１３が本発明の記録手段の一例であり、ＬＣＤパネル１４が本発明のディスプレイの一例であり、ＣＰＵ１７などが本発明の制御回路の一例である。
【００１４】
以下、本発明の実施形態に係わるデータ処理装置について説明する。
図１は、本発明の実施形態に係わる携帯型オーディオプレーヤ１の構成図である。
図１に示すように、携帯型オーディオプレーヤ１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７、オーディオ出力回路１８およびタイマ１９を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１５】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１６】
ＨＤＤ１３は、楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transform Acoustic Coding)３等で圧縮された約１００００曲（コンパクトディスク７００枚分）の楽曲データを記憶可能である。
ＨＤＤ１３に記憶された楽曲データ（以下、単に楽曲データとも記す）の各々には、図２に示すように、その識別データＭ＿ＩＤ、アーティスト名データＡＲ＿Ｎ、アルバム名データＡＬ＿Ｎ、トラック名データＴ＿Ｎ、サブスクリプション判定データＳＤ、データ再生有無データＳＳＤ、並びに曲時間データＬが、管理データＴＡＢＬＥ１によって対応付けられている。
再生有無データＳＳＤは、その楽曲データがパーソナルコンピュータ３から携帯型オーディオプレーヤ１にダウンロードされ、少なくとも一度は再生されたか否かを示している。
曲時間データＬは、楽曲データの再生時間を示している。
管理データＴＡＢＬＥ１は、ＨＤＤ１３に記憶され、例えば、携帯型オーディオプレーヤ１の起動時にＳＤＲＡＭ１２に読み出される。
【００１７】
ＬＣＤパネル１４は、図３（Ｂ）に示すように、携帯型オーディオプレーヤ１の筐体の正面に設けられている。
ＬＣＤパネル１４には、ＣＰＵ１７によって種々の画面が表示される。
ＬＣＤパネル１４に表示される主な画面としては、例えば、メニュー画面、選曲画面、設定画面および再生画面などがあり、ユーザのキー操作に応じてこれらの画面が切り替わる（遷移する）。
【００１８】
図４は、ＬＣＤパネル１４の表示機能に係わる構成を説明するための図である。
図４に示すように、ＬＣＤパネル１４は、バックライト６９、偏光フィルタ７０ａ、ガラス基板７１ａ、透明電極７２ａ、配向膜７３ａ、液晶７４、配向膜７３ｂ、透明電極７２ｂ、ガラス基板７１ｂ、偏光フィルタ７０ｂを順に配置している。
ＬＣＤパネル１４では、表示信号に基づいて透明電極７２ａ，７２ｂに電圧が印加され、その電圧によって各画素位置のＲ，Ｇ，Ｂのカラーフィルタ７５に対応した液晶７４のねじれ状態が制御される。
そして、液晶７４のねじれ状態に応じて、バックライト６９からの光が、各画素においてそれに対応するＲ，Ｇ，Ｂのカラーフィルタ７５を透過して、視覚側に出力される。
【００１９】
本実施形態では、ＣＰＵ１７によって、再生する楽曲データの切り換わりに応じて、バックライト６９のオン／オフが制御される。
【００２０】
バックライト６９は、オンの状態でオフの状態に比べて、輝度が高い。
また、バックライト６９は、オンの状態では電力を消費し、オフの状態では消費しない。
【００２１】
ＬＣＤパネル１４は、例えば、有機ＥＬディスプレイ（organic electroluminescence display）であってもよい。この場合には、ＣＰＵ１７は、バックライトではなく、有機ＥＬディスプレイの発光層の発光のオン／オフを制御する。
【００２２】
入力デバイス１５は、図３に示すように、携帯型オーディオプレーヤ１の筐体に設けられ、ユーザによって操作される種々のキーである。
図３（Ａ）に示すように、携帯型オーディオプレーヤ１の一方の側面には、ヘッドフォン端子２１と、ＨＯＬＤキー３２とが配設されている。
図３（Ｂ）に示すように、携帯型オーディオプレーヤ１の正面には、ＬＣＤパネル１４と、ＢＡＣＫキー３８と、十字キー３７と、ＶＩＥＷキー３９と、ＭＥＮＵキー４０と配設されている。
十字キー３７は、カーソルを画面上に移動する十字上キー３７ａ、カーソルを画面左（下位階層）に移動する十字左キー３７ｂ、カーソルを画面下に移動する十字下キー３７ｃ、カーソルを画面右（上位階層）に移動する十字右キー３７ｄ、再生指示などの決定指示を入力する十字決定キー３７ｅとを有する。
図３（Ｃ）に示すように、携帯型音楽プレーヤ１の側面には、早戻しキー３４と、再生・一時停止キー３５と、早送りキー３６と、音量調整ダイヤル３３とが配設されている。
【００２３】
フラッシュメモリ１６は、例えば、ＣＰＵ１７の動作を規定したプログラムＰＲＧを記憶する。
【００２４】
オーディオ出力回路１８は、ＣＰＵ１７が復号した楽曲データに応じたオーディオ信号をヘッドフォン端子２１に出力する。
【００２５】
ＣＰＵ１７は、フラッシュメモリ１６から読み出したプログラムＰＲＧを基に、本実施形態で説明する携帯型オーディオプレーヤ１の動作を統括的に制御する。
また、ＣＰＵ１７は、選択された楽曲データをＨＤＤ１３から読み出して復号し、これをオーディオ出力回路１８に出力する。
【００２６】
ＣＰＵ１７は、例えば、図５に示す再生画面ＤＩＳＰ１をＬＣＤパネル１４に表示する。
図５に示すように、再生画面ＤＩＳＰ１は、例えば、設定欄６０、再生リスト欄６１、再生曲属性欄６２を有する。
図５に示すように、設定欄６０は、例えば、プレイモード画像５１、サウンド画像５２、音量調整画像５３を有する。
プレイモード画像５１は、例えば、指定されている再生モードを示す画像である。再生モードとしては、例えば、アーティスト再生モード、アルバム再生モード、シャッフル再生モードなどがある。
サウンド画像５２は、指定されたサウンドを示す画像である。本実施形態では、サウンドとして、例えば、ノーマル、ポップス、ジャズ、スタジオ、ライブなどを指定できる。
音量調整画像５３は、指定された音量を示す画像である。
【００２７】
再生リスト欄６１は、指定された再生モードにおいて再生対象として選択された複数の楽曲データのタイトル名データを順に表示（配置）している。
また、再生リスト欄６１は、各タイトル名データに対応付けて、その楽曲データの再生時間データを表示する。
再生リスト欄６１内の現在再生中の楽曲データのタイトル名データおよび再生時間データ上にカーソル画像５９が表示される。
また、再生リスト欄６１は、長いリストの中で現在の位置を示す画像５５とを有する。
【００２８】
ＣＰＵ１７は、再生対象の楽曲データの数が所定数以上の場合には、現在再生中の楽曲データに対して再生順が前後所定数の複数の楽曲データのタイトル名データを再生リスト欄６１に表示する。
【００２９】
再生曲属性欄６２は、現在再生中の楽曲データのタイトル名データ、アーティスト名データ、アルバム名データなどを表示する。
また、再生曲属性欄６２は、例えば、情報表示画像６５およびメニュー表示画像６６を表示する。
情報表示画像６５は、例えば、指定されると、再生中の楽曲データについての所定の情報を表示させるための画像である。
メニュー表示画像６６は、指定されると、メニュー画面に遷移するための画像である。
【００３０】
ＣＰＵ１７は、図５に示す再生画面ＤＩＳＰ１を表示中に、所定の再生順で楽曲データを再生する進行に応じて、ＬＣＤパネル１４のバックライト６９を以下に示すようにオン／オフする。
ＣＰＵ１７は、例えば、再生対象の複数の楽曲データが決定すると、それらについて図２に示す管理データＴＡＢＬＥ１を基に、図６に示す再生管理データＴＡＢＬＥ２を生成する。
図６に示すように、再生管理データＴＡＢＬＥ２は、再生対象の楽曲データの各々について、その楽曲データのＩＤと、その再生開始タイミング、再生終了タイミング、サブスクリプション判定データＳＤ、再生有無データＳＳＤとを対応付けて示す。
ここで、図６に示す再生開始タイミングおよび再生終了タイミングは、図６に示す複数の楽曲データのうち最初の楽曲データの再生を開始するタイミングを基準として規定される。
【００３１】
ＣＰＵ１７は、図６に示す再生管理データＴＡＢＬＥ２の再生開始タイミングおよび再生有無データＳＳＤを基に、未再生の楽曲データの再生を開始するときにバックライト６９をオンに切り換え、所定時間後、オフに切り換える。
ＣＰＵ１７は、例えば、タイマ１９のカウント値と、図６に示す再生管理データＴＡＢＬＥ２の再生有無データＳＳＤを基に、図７（Ａ），（Ｂ）に示すように、バックライト６９のオン／オフを切り換える。
なお、ＣＰＵ１７は、例えば、タイマ１９のカウント値と、図６に示す再生管理データＴＡＢＬＥ２の再生開始タイミングおよび再生終了タイミングと、再生有無データＳＳＤとを基に、図７（Ａ），（Ｃ）に示すように、未再生の楽曲データを再生中にバックライト６９をオンし、それ以外の期間にバックライト６９をオフにしてもよい。
【００３２】
また、ＣＰＵ１７は、例えば、タイマ１９のカウント値と、図６に示す再生管理データＴＡＢＬＥ２の再生開始タイミングとを基に、図８に示すように、再生する楽曲データが切り換わる度に、所定時間だけバックライト６９をオンし、それ以外の期間にバックライト６９をオフにしてもよい。
また、ＣＰＵ１７は、例えば、タイマ１９のカウント値と、図６に示す再生管理データＴＡＢＬＥ２の再生開始タイミングおよびサブスクリプション判定データＳＤを基に、図９（Ａ），（Ｂ）に示すように、未購入の楽曲データの再生を開始してから所定時間だけバックライト６９のオンにし、それ以外の期間はバックライト６９をオフにしてもよい。
また、ＣＰＵ１７は、図９（Ａ），（Ｃ）に示すように、未購入の楽曲データを再生中はバックライト６９のオンにし、それ以外の期間はバックライト６９をオフにしてもよい。
【００３３】
以下、図１に示す携携帯型オーディオプレーヤ１の再生動作におけるＬＣＤパネル１４のバックライト制御を説明する。
なお、以下に示す動作と並行して、ＣＰＵ１７は、予め決められた再生順序でＨＤＤ１３から楽曲データを読み出して復号（再生）し、その再生中の楽曲データのタイトル名データ、アーティスト名データおよびアルバム名データを示す図５に示す再生画面ＤＩＳＰ１をＬＣＤパネル１４に表示する。
【００３４】
図１０は、図１に示す携帯型オーディオプレーヤ１の動作例を説明するためのフローチャートである。
ステップＳＴ１：
ＣＰＵ１７は、例えば、再生指示を入力したと判断すると当該ステップＳＴ１の処理を開始し、ＬＣＤパネル１４に図５に示す再生画面ＤＩＳＰ１を表示すると共に、バックライト６９をオンにする。
これにより、ＬＣＤパネル１４には再生画面ＤＩＳＰ１が所定の明るさ以上で高いコントラストで表示され、ユーザは再生画面ＤＩＳＰ１をはっきり視認できる。
【００３５】
ステップＳＴ２：
ＣＰＵ１７は、ステップＳＴ１でＬＣＤパネル１４のバックライト６９をオンにしてから所定時間経過したか否かを判断し、経過したと判断するとステップＳＴ３に進む。
【００３６】
ステップＳＴ３：
ＣＰＵ１７は、ＬＣＤパネル１４のバックライト６９をオフにする。
【００３７】
ステップＳＴ４：
ＣＰＵ１７は、再生対象とした複数の楽曲データの全ての再生を終了したか否かを判断し、終了したと判断すると、処理を終了し、そうでない場合にはステップＳＴ５に進む。
【００３８】
ステップＳＴ５：
ＣＰＵ１７は、タイマ１９のカウント値と再生管理データＴＡＢＬＥ２とを基に、再生中の楽曲データの再生が終了するタイミングであるか否かを判断し、そうであると判断すると、ステップＳＴ６に進み、そうでないと判断するとステップＳＴ４に戻る。
ＣＰＵ１７は、例えば、図６に示す再生管理データＴＡＢＬＥ２と、タイマ１９のカウント値を基に上記判断を行う。
【００３９】
ステップＳＴ６：
ＣＰＵ１７は、図６に示す再生管理データＴＡＢＬＥ２を参照し、次に再生する楽曲データの再生有無データＳＳＤが未再生を示すか否かを判断し、未再生を示すと判断した場合にはステップＳＴ１に戻る。これにより、バックライト６９がオンに切り換わる。
一方、ＣＰＵ１７は、次に再生する楽曲データが再生済であると判断すると、ステップＳＴ４に戻る。
【００４０】
以上説明したように、携帯型オーディオプレーヤ１によれば、楽曲データを順に再生し、再生中の楽曲データの属性名をＬＣＤパネル１４に表示する場合に、図７および図１０を用いて説明したように、当該プレーヤにおいて未再生の楽曲データの再生を開始してから所定時間の間だけバックライト６９を自動的にオンにし、それ以外はオフにする。
これにより、ユーザは、未再生の楽曲データを初めて再生する場合に、自ら操作を行わなくても、ＬＣＤパネル１４に表示された当該楽曲データの属性名を視覚できる。
また、携帯型オーディオプレーヤ１によれば、未再生の楽曲データの再生を開始してから所定時間経過後は、バックライト６９を自動的にオフにするため、省電力化を図れる。
【００４１】
＜第２実施形態＞
上述した実施形態では、未再生の楽曲データの再生開始から所定時間だけバックライト６９を自動的にオンにする場合を例示した。
本実施形態では、図１１に示すように、ＣＰＵ１７ａは、ステップＳＴ１４に続いて、タイマ１９のカウント値と再生管理データＴＡＢＬＥ２とを基に、再生中の楽曲データの再生が終了するタイミングであるか否かを判断し（ステップＳＴ１５）、そうであると判断すると、ステップＳＴ１１に進む。
すなわち、ＣＰＵ１７ａは、次に再生する楽曲データが未再生であるか否かを判断せずに、図１２に示すように、楽曲データの再生が終了するタイミングになると、無条件にバックライト６９をオンにする。
なお、図１１に示すステップＳＴ１１〜ＳＴ１４は、第１実施形態で説明した図１０に示すステップＳＴ１〜ＳＴ４と同じである。
本実施形態によっても、第１実施形態と同様の効果が得られる。
【００４２】
＜第３実施形態＞
上述した実施形態では、未再生の楽曲データの再生開始から所定時間だけバックライト６９を自動的にオンにする場合を例示した。
本実施形態では、図１３に示すように、ＣＰＵ１７ｂは、ステップＳＴ２４に続いて、タイマ１９のカウント値と再生管理データＴＡＢＬＥ２とを基に、再生中の楽曲データの再生が終了するタイミングの所定時間前（例えば、３秒前）であるか否かを判断し（ステップＳＴ２５）、そうであると判断すると、ステップＳＴ２１に進む。
すなわち、ＣＰＵ１７ｂは、次に再生する楽曲データが未再生であるか否かを判断せずに、図１４に示すように、楽曲データの再生が終了するタイミングの所定時間前になると、無条件にバックライト６９をオンにする。
なお、図１３に示すステップＳＴ２１〜ＳＴ２４は、第１実施形態で説明した図１０に示すステップＳＴ１〜ＳＴ４と同じである。
本実施形態によっても、第１実施形態と同様の効果が得られる。
【００４３】
本発明は上述した実施形態には限定されない。
上述した実施形態では、本発明を携帯型オーディオプレーヤに適用した場合を例示したが、本発明は音楽再生機能付きの携帯電話やパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（商標）などの光磁気記録媒体、ＣＤ−Ｒ(CD-recordable)やＤＶＤ−Ｒ(DVD-recordable) などの光記録媒体）、メモリースティック（商標）やＳＤカード（商標）などの半導体メモリなどを用いてもよい。
また、本発明は、パーソナルコンピュータ、コンパクトディスクなどの光ディスク再生装置、光磁気ディスク再生装置などに適用してもよい。
【００４４】
上述した実施形態では、ＣＰＵ１７等が、ＬＣＤパネル１４のバックライト６９、あるいは有機ＥＬディスプレイの発光層の発光のオン／オフを制御する場合を例示したが、例えば、ＬＣＤパネル１４のバックライト６９の輝度を低輝度モードと高輝度モードとの間で切り換えてもよい。
また、ＣＰＵ１７等は、ＬＣＤパネル１４や有機ＥＬディスプレイ以外のディスプレイにおいて、低輝度モードと高輝度モードとの間の切り換え、あるいはオン／オフの切り換えを行ってもよい。
【００４５】
また、ＣＰＵ１７等がＬＣＤパネル１４に表示する再生画面は、例えば、図１５に示すように、再生中の楽曲データの属性のみを示す再生画面ＤＩＳＰ１１でもよい。
【００４６】
また、上述した実施形態では、ＨＤＤ１３から読み出した楽曲データをＣＰＵ１７が復号する場合を例示したが、携帯型オーディオプレーヤ１がネットワークを介して他の電子機器（サーバ装置）と接続されている場合に、ＣＰＵ１７は当該他の電子機器から受信した楽曲データを復号してもよい。
【図面の簡単な説明】
【００４７】
【図１】図１は、本発明の実施形態に係わる携帯型オーディオプレーヤの構成図である。
【図２】図２は、図１に示す携帯型オーディオプレーヤが記憶する楽曲データに割り当てられている属性を説明するための図である。
【図３】図３は、図１に示す携帯型オーディオプレーヤの外観図である。
【図４】図４は、図１に示すＬＣＤパネルの構造を説明するための図である。
【図５】図５は、図１に示すＬＣＤパネルに表示される再生画面を説明するための図である。
【図６】図６は、図１に示すＣＰＵが生成する再生管理データＴＡＢＬＥ２を説明するための図である。
【図７】図７は、本発明の第１実施形態に係わる携帯型オーディオプレーヤの再生画面の表示パターンを説明するための図である。
【図８】図８は、本発明の第１実施形態に係わる携帯型オーディオプレーヤの再生画面のその他の表示パターンを説明するための図である。
【図９】図９は、本発明の第１実施形態に係わる携帯型オーディオプレーヤの再生画面のその他の表示パターンを説明するための図である。
【図１０】図１０は、本発明の第１実施形態に係わる携帯型オーディオプレーヤの再生画面の表示動作を説明するためのフローチャートである。
【図１１】図１１は、本発明の第２実施形態に係わる携帯型オーディオプレーヤの再生画面の表示動作を説明するためのフローチャートである。
【図１２】図１２は、本発明の第２実施形態に係わる携帯型オーディオプレーヤの再生画面の表示パターンを説明するための図である。
【図１３】図１３は、本発明の第３実施形態に係わる携帯型オーディオプレーヤの再生画面の表示動作を説明するためのフローチャートである。
【図１４】図１４は、本発明の第３実施形態に係わる携帯型オーディオプレーヤの再生画面の表示パターンを説明するための図である。
【図１５】図１５は、本発明の実施形態の再生画面のその他の例を説明するための図である。
【符号の説明】
【００４８】
１…携帯型オーディオプレーヤ、１１…ＵＳＢインタフェース、１２…ＳＤＲＡＭ、１３…ＨＤＤ、１４…ＬＣＤパネル、１５…入力デバイス、１６…フラッシュメモリ、１７，１７ａ，１７ｂ…ＣＰＵ、１８…オーディオ出力回路、１９…タイマ、２１…ヘッドフォン端子、３８…ＢＡＣＫキー、３７…十字キー３７、３９…ＶＩＥＷキー、４０…ＭＥＮＵキー、３４…早戻しキー、３５…再生・一時停止キー、３６…早送りキー、６９…バックライト
【図１】
2006351133.tif 000003
【図２】
2006351133.tif 000004
【図３】
2006351133.tif 000005
【図４】
2006351133.tif 000006
【図５】
2006351133.tif 000007
【図６】
2006351133.tif 000008
【図７】
2006351133.tif 000009
【図８】
2006351133.tif 000010
【図９】
2006351133.tif 000011
【図１０】
2006351133.tif 000012
【図１１】
2006351133.tif 000013
【図１２】
2006351133.tif 000014
【図１３】
2006351133.tif 000015
【図１４】
2006351133.tif 000016
【図１５】
2006351133.tif 000017